(57)【特許請求の範囲】
【請求項１】
所定の確率分布に従って、乱数列Ｘｎを生成する第１乱数生成手段と、
前記乱数列Ｘｎに基づいて、乱数列Ｙｎを生成する第２乱数生成手段と、
前記乱数列Ｙｎを出力する出力手段とを備え、
前記第２乱数生成手段は、Ｙｎ＝Ｘｎ＋ｒＹｎ−１によって乱数列Ｙｎを生成し、
定数ｒは、前記乱数列Ｙｎを構成する各要素の相関を定義する定数であることを特徴とする乱数列生成装置。
【請求項２】
前記第１乱数生成手段は、正規分布する乱数を生成することを特徴とする請求項１に記載の乱数列生成装置。
【請求項３】
前記定数ｒは、前記乱数列Ｙｎを構成する任意の２つの要素間に要求される相関係数に基づいて設定される値であることを特徴とする請求項１又は２に記載の乱数列生成装置。
【請求項４】
前記第１乱数生成手段は、
前記乱数列Ｘｎの標準偏差を設定する標準偏差設定手段と、
前記定数ｒを取得する定数取得手段とを備え、
前記標準偏差設定手段により設定された前記乱数列Ｘｎの標準偏差と前記定数取得手段により取得された前記定数ｒとに基づいて、前記乱数列Ｘｎを生成することを特徴とする請求項１乃至３に記載の乱数列生成装置。
【請求項５】
前記標準偏差設定手段は、前記乱数列Ｙｎに要求される所望の標準偏差がσである場合に、
0004121769.tif 000008
を前記乱数列Ｘｎの標準偏差として設定することを特徴とする請求項４に記載の乱数生成装置。
【請求項６】
前記出力手段は、前記乱数列Ｙｎのうち、出力する範囲を設定する出力範囲設定手段を備え、前記出力範囲設定手段により設定された範囲の乱数列Ｙｎを出力することを特徴とする請求項１乃至５に記載の乱数列生成装置。
【請求項７】
前記出力手段は、前記乱数列Ｙｎを構成する任意の２つの要素を用いて、補間値を生成する補間手段を備えることを特徴とする請求項１乃至６に記載の乱数列生成装置。
【請求項８】
前記出力手段は、前記乱数列Ｙｎの出力間隔、又は出力パターンを制御する乱数生成制御手段を備えることを特徴とする請求項１乃至６に記載の乱数列生成装置。
【請求項９】
移動通信における受信電波の変動を模擬するシミュレーション装置であって、
所定の確率分布に従って、乱数列Ｘｎを生成する第１乱数生成手段と、
前記乱数列Ｘｎに基づいて、乱数列Ｙｎを生成する第２乱数生成手段と、
前記乱数列Ｙｎを出力する出力手段と、
前記出力手段から出力された乱数列Ｙｎに基づいて、受信電波の変動を模擬するシミュレート手段とを備え、
前記第２乱数生成手段は、Ｙｎ＝Ｘｎ＋ｒＹｎ−１によって乱数列Ｙｎを生成し、
定数ｒは、前記乱数列Ｙｎを構成する各要素の相関を定義する定数であることを特徴とする伝搬モデルシミュレーション装置。
【請求項１０】
前記第１乱数生成手段は、正規分布する乱数を生成することを特徴とする請求項９に記載の伝搬モデルシミュレーション装置。
【請求項１１】
前記定数ｒは、前記乱数列Ｙｎを構成する任意の２つの要素間に要求される相関係数に基づいて設定される値であることを特徴とする請求項９又は１０に記載の伝搬モデルシミュレーション装置。
【請求項１２】
前記第１乱数生成手段は、
前記乱数列Ｘｎの標準偏差を設定する標準偏差設定手段と、
前記定数ｒを取得する定数取得手段とを備え、
前記標準偏差設定手段により設定された前記乱数列Ｘｎの標準偏差と前記定数取得手段により取得された前記定数ｒとに基づいて、前記乱数列Ｘｎを生成することを特徴とする請求項９乃至１１に記載の伝搬モデルシミュレーション装置。
【請求項１３】
前記標準偏差設定手段は、前記乱数列Ｙｎに要求される所望の標準偏差がσである場合に、
0004121769.tif 000009
を前記乱数列Ｘｎの標準偏差として設定することを特徴とする請求項１２に記載の伝搬モデルシミュレーション装置。
【請求項１４】
前記出力手段は、前記乱数列Ｙｎのうち、出力する範囲を設定する出力範囲設定手段を備え、前記出力範囲設定手段により設定された範囲の乱数列Ｙｎを出力することを特徴とする請求項９乃至１３に記載の伝搬モデルシミュレーション装置。
【請求項１５】
前記出力手段は、前記乱数列Ｙｎを構成する任意の２つの要素を用いて、補間値を生成する補間手段を備えることを特徴とする請求項９乃至１４に記載の伝搬モデルシミュレーション装置。
【請求項１６】
前記出力手段は、前記乱数列Ｙｎの出力間隔、又は出力パターンを制御する乱数生成制御手段を備えることを特徴とする請求項９乃至１５に記載の伝搬モデルシミュレーション装置。
【発明の詳細な説明】
【０００１】
【発明の属する技術分野】
本発明は、特定の確率分布に従い、かつ時間的あるいは空間的に相関のある乱数列を生成する方法及び装置に関するもので、コンピュータプログラムとして又は乱数列を生成するシミュレータ（実験装置）として利用可能である。
【０００２】
乱数列生成装置及び乱数列生成方法、並びに伝搬モデルシミュレーション装置及び方法に関する。
【０００３】
【従来の技術】
従来、乱数系列は、製造した製品の性能を試験したり、あるいは銀行などの窓口での待ち時間評価や通信ネットワークのような大きな系が全体としてどのように動くかを評価したりするのに幅広く利用されている。通信路における雑音や、振動、個々の客の要求や動き、通信ネットワークへ印加される情報量などを表すのに使われる。このように、乱数列を生成する手法や装置は現代の技術、特にコンピュータを利用したシミュレーション評価には欠くことのできないものとなっている。
【０００４】
このように乱数系列を用いたシミュレーション評価は、各分野多岐に亘るが、その一つとして移動通信の伝搬モデルシミュレーションに用いるものがある。
【０００５】
現在普及している携帯電話のような移動通信システムでは、サービスエリア全体をセルと呼ばれる比較的小さな無線ゾーンに分割してサービスを行っている。
【０００６】
このようなシステムでは、基地局からある送信電力で送信された電波は減衰しながら空間を伝搬し受信点に到達する。電波が受ける減衰量は送信点と受信点の距離が遠くなるほど大きくなるという性質があるため、基本的に遠い基地局から送信されるチャネルは弱い受信レベルで、近い基地局から送信されるチャネルは強い受信レベルで受信される。
【０００７】
現実には、伝搬損失の大小は距離だけではなく、地形や建造物などの状況により異なってくるため、移動局の移動に伴って各基地局からのチャネルの受信電力は大きく変動する。各基地局からのチャネルの受信レベルが常に変動する状況にあっては、所要の受信レベル以上となるチャネルは常に入れ替わっており、それまで受信していたチャネルの受信レベルが急に低くなり受信不能となったり、逆にそれまで受信不能だったチャネルの受信レベルが急に高くなり受信可能となったりする。
【０００８】
このような現象は、シャドウイングあるいはシャドウフェージングなどと呼ばれている。また、一カ所から送信された電波が複数の物体により反射されて受信点に到達することにより生じるいわゆるレイリーフェージングと呼ばれる現象も移動通信では考慮する必要がある。
【０００９】
移動通信では、このような状況を模擬し、移動局装置の受信性能や、複数の基地局への追随性能を評価することが必要となる。レイリーフェージングについては、例えば文献（桑原守二監修「ディジタル移動通信」科学新聞社１９９２年）にフェージングシミュレータとして紹介されている装置を用いることで評価するのが一般的である。また、同様の手法をコンピュータ上のソフトウェアで実現することにより、コンピュータシミュレーションにも簡単に適用できる。
【００１０】
一方、シャドウフェージングについては時系列的な評価はあまり行われておらず、シャドウフェージングによる減衰量が対数正規分布するということが広く知られているのみである。
【００１１】
従って、例えば文献（Ishikawa and Umeda,“Capacity Design and Perfomance of Call Admission Control in Cellular CDMA Systems,”IEEE Journal on Selected Areas in Communications, Vol.15, No.8, Oct. 1997）に示されているように、対数正規分布に従う乱数を発生させてある時点での評価を行い、これを多数回繰り返すという評価がしばしば行われている。
【００１２】
移動通信のシャドウフェージングについて実地で測定を行うことによりその空間的な自己相関特性を調べた結果が文献（M.Gudmandson,“Correlation Model for Shadow Fading in Mobile Radio Systems,”Electronics Letters, vol.27, November 7, 1991, No.23, pp.2145-2146）に示されている。この結果から、シャドウフェージングによる減衰をｄＢ表示した値の自己相関関数が指数分布する。つまり、自己相関関数が２地点間の距離Δｘにより
【数３】
0004121769.tif 000002
と表されることが説明されている。また、前式で、相関係数が０．５となる距離ｄcorは都市部でほぼ２０ｍであることなどが述べられている。
【００１３】
シャドウフェージングを時系列的に発生させる装置についての検討として、公報特開平７−１７７１０７号「フェージングシミュレータ」あるいは、より一般的に時系列的に相関のある系列を発生させる方法として公報特開平５−２１６６３０号「相関のある乱数発生器」を挙げることができる。
【００１４】
【発明が解決しようとする課題】
しかしながら、上述した公報特開平７−１７７１０７号に開示された技術では、互いに相関を持つ複数のシャドウフェージングの系列を発生させることを目的とするものである。ところが、この技術では、フィルタを通すことで時系列的に相関を持たせることができるが、所望の分布や相関特性を持たせるよう設定する機能を備えるものではないことから、時間的あるいは空間的に相関のある種々のパラメータを任意に設定して、操作者が所望する現象を適切に模擬した伝搬モデルを再現することはできない。
【００１５】
一方、公報特開平５−２１６６３０号に開示された技術では、所望の確率分布や相関特性を持った乱数を生成することができる反面、非常に多数の記憶素子を必要とし複雑な設定を必要とするため実用性が低いという問題があった。
【００１６】
そこで、本発明は、以上の点に鑑みてなされたもので、操作者が所望する特定の確率分布、標準偏差、相関特性のある乱数列を簡易に発生させることのできる乱数列生成装置及び乱数列生成方法を提供することを目的とする。また、他の発明は、上記乱数生成装置又は乱数生成方法を用いて、時間的あるいは空間的に相関のある種々のパラメータを任意に設定して、操作者が所望する現象を適切に模擬した伝搬モデルを再現することのできる伝搬モデルシミュレーション装置及び方法を提供することを目的とする。
【００１７】
【課題を解決するための手段】
上記目的を達成するため、本発明は、所定の確率分布に従って乱数を順次生成し、乱数生成手段が生成した乱数を第１の乱数として記憶し、第１の乱数に所定の定数を乗算し、この乗算して得られた値に、新たに生成された第２の乱数を加算し、加算された値を第１の乱数として出力し、これらの処理を所定回数繰り返して得られる値を順次配列として記憶し、この配列を乱数列として出力することを特徴とする。
【００１８】
本発明によれば、第１の乱数に定数を乗算し、これに順次新たに生成される乱数を加算するという簡単な処理により乱数を生成することから、演算処理の負担を増大させることなく、簡易的に乱数を生成することができる。
【００１９】
上記発明において、生成される乱数は正規分布に従うことが好ましい。また、上記発明において、乗算される定数は、乱数列中の任意の２つの乱数間に要求される相関係数に基づいて設定される値であることが好ましい。例えば、結果として生成される乱数列の中の任意の２個の乱数の間の相関係数として要求される値ｒ（ｒは０より大きく１未満）を定数とすることが好ましい。
【００２０】
上記発明において、乱数列の標準偏差を設定するとともに、乱数に乗算される定数を取得し、この設定された標準偏差と、取得された定数とに基づいて乱数を生成することが好ましい。例えば、結果として生成される乱数列の性質として必要な標準偏差がσであるときに、前記乱数を生成するステップは標準偏差
【数１】
0004121769.tif 000003
となる乱数を生成するようする。
【００２１】
上記発明においては、記憶された乱数列のうち、出力する範囲を設定し、この設定された範囲の乱数列を出力することが好ましい。また、上記発明においては、記憶された乱数列中の任意の２つの乱数を用いて、補間値を生成することが好ましい。さらに、上記発明においては、乱数列の出力間隔、又は出力パターンを制御することが好ましい。
【００２２】
これらの場合には、操作者により相関係数や標準偏差、補間値、出力間隔、出力パターンを設定することによって、相関関係のある乱数を生成することができ、目的に応じた乱数列を生成することができる。
【００２３】
他の発明は、上記乱数列生成装置又は乱数列生成方法を用いた移動通信における伝搬モデルシミュレーションであり、上記乱数生成装置又は乱数生成方法により得られた乱数列を移動通信における受信電波の変動として伝搬モデルを生成することを特徴とする。
【００２４】
このような他の発明によれば、操作者により相関係数や標準偏差を設定することによって、相関関係のある乱数を生成することができ、空間的あるいは時系列的に相関関係を有する受信電波を模擬することができ、移動通信シミュレーションにおいて、実情に即した伝搬モデルを再現することができる。
【００２５】
【発明の実施の形態】
［第１実施形態］
（乱数列生成装置の構成）
以下に本発明の第１実施形態に係る乱数列生成装置について詳細に説明する。図１は、本実施形態に係る乱数列生成装置の構成を示すブロック図である。
【００２６】
本実施形態に係る乱数列生成装置は、乱数生成器１と、加算器２と、レジスタ４と、定数処理手段３と、出力手段５とを備えており、乱数生成器１により生成された乱数（Ｘn,Ｘn-1,Ｘn-2,…）から、要素（Ｙn,Ｙn-1,Ｙn-2,…）からなる乱数列を算出結果として出力手段５から出力する。
【００２７】
乱数生成器１は、所定の確率分布に従って相互に独立した乱数（Ｘn,Ｘn-1,Ｘn-2,…）を順次生成する乱数生成手段であり、本実施形態では、正規分布する乱数を生成する機能を有する。具体的には、本実施形態に係る乱数生成器１には、乱数列の標準偏差を設定する標準偏差設定手段１１と、定数処理手段３により乗算される定数を取得する定数取得手段１２とが接続されており、これらの標準偏差設定手段１１により設定された標準偏差及び、定数取得手段１２により取得された定数に基づいて乱数を生成する機能を備えている。
【００２８】
本実施形態では、標準偏差設定手段１１により、結果として生成される乱数列の性質として必要な標準偏差がσと設定し、定数取得手段１２を介して定数処理手段３から定数ｒを取得するすることにより、乱数生成器１は、
【数４】
0004121769.tif 000004
となる乱数を生成する。
【００２９】
詳述すると、乱数生成器１により生成される乱数Ｘnにより、結果として出力される乱数列要素Ｙnは次のように表される。
【００３０】
Ｙn＝Ｘn＋ｒＸn-1＋ｒ2Ｘn-2＋…＋ｒkＸn-k＋…
Ｙnは非常に多数の互いに独立な確率定数の和で表されるので、その確率分布はほぼ正規分布になる。特に、本実施形態では、乱数生成器１は、正規分布に従う値を生成する機能を有するため、Ｙnを正規分布に従わせることができる。
【００３１】
このとき、Ｙnの分散Ｖａｒ［Ｙn］は、
0004121769.tif 000005
と計算される。従って、乱数生成器１により生成される乱数の標準偏差が
【数５】
0004121769.tif 000006
であれば、
Ｖａｒ［Ｙn］＝σ2
となり、所望の標準偏差σが得られる。
【００３２】
前記加算器２は、定数処理手段３から出力された値に、乱数生成器１により新たに生成された第２の乱数を加算し、加算された値を第１の乱数Ｘnとして出力する加算手段である。本実施形態では、この加算器２の出力端子は、レジスタ４及び出力手段５に接続されており、継続して加算を行うデータはレジスタ４に対して出力し、所定回数分加算処理が行われ乱数列の要素として出力するデータは出力手段５に出力する。
【００３３】
定数処理手段３は、第１の乱数に所定の定数ｒを乗算する定数処理手段であり、本実施形態では、結果として生成される乱数列要素（Ｙn,Ｙn-1,Ｙn-2,…）中の任意の２個の要素間の相関係数に基づいて決定される値ｒ（ｒは０より大きく１未満）を定数として定数倍する。
【００３４】
これについて、本実施形態においてこの定数処理手段３には、定数処理手段３により乗算される定数を設定する定数設定手段３１が接続されている。この定数設定手段３１は、乱数列中（Ｙn,Ｙn-1,Ｙn-2,…）の任意の２つの乱数間に要求される相関係数に基づいて決定される値を算出し、これを定数ｒとして定数処理手段３に出力する。
【００３５】
具体的にこの定数設定手段３１は、任意の乱数要素ＹiとＹjの間隔距離Ｄ（ここでは、各要素の添字の差分：ｉ−ｊ）が与えられることにより、２つの乱数列要素ＹiとＹjの間の相関係数（定数ｒ）を算出し、出力する。
【００３６】
これについて詳述すると、２つの乱数列要素ＹiとＹjの間の相関係数は、以下のように計算できる。
【００３７】
【数６】
0004121769.tif 000007
従って、ｉ−ｊ＝Ｄを与えることにより、ｒ＝２-1/Dが得られる。例えば、Ｄ＝１と設定すれば、ｒ＝２-1/1となり、相関係数が０．５と設定される。これにより、乱数列要素Ｙの自己相関特性は前述の文献に示された指数相関特性を持つことになる。
【００３８】
レジスタ４は、乱数生成器１が生成した第１の乱数を記憶する記憶手段であり、CPU等の演算処理装置内に設けられたメモリや、外部記憶装置を用いることができる。
【００３９】
出力手段５は、乗算及び前記加算を所定回数繰り返して得られる値を乱数列の要素として、順次配列に記憶するメモリを有し、この配列を乱数列として出力する。特に、本実施形態に係る出力手段５は、メモリに記憶された乱数列のうち、出力する範囲を設定する出力範囲設定手段５１を備え、この出力範囲設定手段５１により設定された範囲の乱数列を出力する機能を有する。
【００４０】
さらに、出力手段５は、記憶された乱数列中の任意の２つの乱数を用いて、補間値を生成する補間手段６が接続されている。この補間手段６は、出力範囲内に、乱数が存在しない場合に、任意の２つの乱数を用いて平均値を求め、その平均値を出力する。
【００４１】
（乱数列生成装置を用いた乱数列生成方法）
以上説明した構成を有する乱数列生成装置を用いた乱数列生成方法の手順について説明する。図２は、本実施形態に係る乱数生成法の手順を示すフローチャート図である。
【００４２】
先ず、所定の確率分布に従って乱数（Ｘn,Ｘn-1,Ｘn-2,…）を順次生成し、この生成した乱数を第１の乱数として記憶する（Ｓ１０１）。
【００４３】
具体的には、標準偏差設定手段１１により設定された標準偏差σと定数取得手段１２により取得された定数ｒに基づいて正規分布に従った乱数を、乱数生成器１により生成し、加算器２を介してレジスタ４に入力する。このとき、初回の乱数（Ｘ1）生成時には、その前に生成された乱数が存在しないため、加算器２による加算は行われない。
【００４４】
次いで、レジスタ４に記憶されている第１の乱数を読み出し（Ｓ１０２）、定数処理手段３において、第１の乱数に所定の定数ｒを乗算し（Ｓ１０３）、乗算して得られた値に、乱数生成器１により新たに生成された第２の乱数を加算する（Ｓ１０４）。
【００４５】
そして、所定回数分加算が終了したか否かを判断し（Ｓ１０６）終了していない場合には、加算器２で加算された値を第１の乱数としてレジスタ４に登録し、上記Ｓ１０１〜Ｓ１０４の処理を繰り返す。一方、ステップＳ１０６において、所定回数分の加算が終了したと判断した場合には、加算器２から出力された値を、順次配列として記憶する（Ｓ１０７）。そして、所定長さの配列が生成された後、この配列を乱数列として出力する（Ｓ１０８）。
【００４６】
（第１実施形態の変更例）
なお、上述した第１実施形態において、出力手段５には、図３に示すような、タイミング生成器７を接続し、出力手段５における乱数の出力間隔、又は出力間隔の長短を変化させたパターンを制御するようにしてもよい。
【００４７】
［第２実施形態］
（伝搬モデルシミュレータの基本構成）
以下に本発明の第２実施形態に係る伝搬モデルシミュレーション装置について詳細に説明する。本実施形態では、上述した第１実施形態で説明した乱数列生成装置を、移動通信における、希望波とＮ波の干渉波に生じるシャドウイングの相関を考慮した通信路をシミュレートするフェージングシミュレータに応用することをその要旨とする。
【００４８】
すなわち、本実施形態では、移動通信における電波伝搬環境上で生じるレイリーフェージングや、周波数選択性フェージング、シャドウイング等の現象、及びこれらの現象が復号して生じる伝搬モデルについて模擬を行う。
【００４９】
ここで、レイリーフェージングとは、伝搬距離の差が搬送波波長オーダ程度の波が合成された信号を受信するため、送信局あるいは受信局が搬送波波長オーダ程度移動すると受信レベルが大きく変動する現象である。
【００５０】
周波数選択性フェージングとは、伝搬距離の差が信号帯域幅の逆数オーダ以上の波が合成される場合、ゴーストや符号間干渉による歪が生じる現象である。
【００５１】
シャドウイングとは、送信局あるいは受信局周囲のビルや樹木等の障害物によって、信号が遮られることによる受信信号レベルが変動する現象である。
【００５２】
図４は、本実施形態に係る伝搬モデルシミュレーション装置を示す説明図であり、（ａ）は、シミュレーションの前提となる移動通信システムを示す概念図であり、（ｂ）は、本実施形態に係る伝搬モデルシミュレーション装置の構成を示すブロック図である。
【００５３】
図４（ａ）に示すように、第２実施形態では、図４（ａ）に示すように、分割された無線ゾーン１１３をカバーする複数の基地局１１１と、これら基地局１１１との間に無線チャネルを設定して通信を行う移動局１１２により構成された移動通信システムを前提とする。
【００５４】
そして、本実施形態２では、このような移動通システムにおいて伝搬される無線信号を、上述した乱数列生成装置１００を用いて生成し、シミュレータ３００により模擬を行う。本実施形態に係る伝搬モデルシミュレーション装置は、図４（ｂ）に示すように、乱数列生成装置１００と、データ補正部２００と、シミュレータ３００とから構成される。
【００５５】
乱数列生成装置１００は、上述した第１実施形態と同様の構成を有するため、説明は省略する。また、シミュレータ３００は、公知の技術であり、種々のハードウェアやソフトウェアで実現することができる。
【００５６】
データ補正部２００は、乱数列生成装置１００により生成される乱数列を、シミュレータ３００のサンプリング周波数に整合させるものである。具体的にこのデータ補正部２００は、乱数列生成装置１００が乱数を生成する周期と、シミュレータ３００のサンプリング周波数が一致しない場合に、乱数列生成装置１００から出力されるデータを補充したり、削除したりする。
【００５７】
このデータ補正部２００によるデータの補充は、前回乱数列生成装置１００により生成された乱数を保持しておき、次の乱数が発生されるまでの間は、保持した乱数を繰り返し出力することにより行う。また、データの削除は、シミュレータ３００のサンプリング周波数と合致しないタイミングの乱数を廃棄することにより行う。
【００５８】
【発明の効果】
以上説明したように、本発明の乱数列生成装置及び乱数列生成方法によれば、操作者が所望する特定の確率分布、標準偏差、相関特性のある乱数列を簡易に発生させることができる。また、他の発明の伝搬モデルシミュレーション装置及び方法によれば、上記乱数生成装置又は乱数生成方法を用いることにより、時間的あるいは空間的に相関のある種々のパラメータを任意に設定して、操作者が所望する現象を適切に模擬した伝搬モデルを再現することのできる伝搬モデルを生成することができる。
【図面の簡単な説明】
【図１】第１実施形態に係る乱数列生成装置の構成を示すブロック図である。
【図２】第１実施形態に係る乱数生成法の手順を示すフローチャート図である。
【図３】第１実施形態の変更例に係る乱数列生成装置の構成を示すブロック図である。
【図４】第２実施形態に係る伝搬モデルシミュレーション装置を示す説明図であり、（ａ）は、シミュレーションの前提となる移動通信システムを示す概念図であり、（ｂ）は、本実施形態に係る伝搬モデルシミュレーション装置の構成を示すブロック図である。
【符号の説明】
１…乱数生成器
２…加算器
３…定数処理手段
４…レジスタ
５…出力手段
６…補間手段
７…タイミング生成器
１１…標準偏差設定手段
１２…定数取得手段
１００…乱数列生成装置
１１１…基地局
１１２…移動局
１１３…無線ゾーン
２００…データ補正部
３００…シミュレータ
３１…定数設定手段
５１…出力範囲設定手段
Ｘn…乱数
Ｙn…乱数列要素
【図１】
0004121769.tif 000010
【図２】
0004121769.tif 000011
【図３】
0004121769.tif 000012
【図４】
0004121769.tif 000013